(57)【要約】【課題】メタリック色やパール色のインクを、インクジェットプリンタで適切に使用する。また、サイズの大きな顔料を含むインクを、インクジェットプリンタで適切に使用する。【解決手段】メタリック色、又はパール色のインクのインク滴を媒体５０へ向けて吐出するインクジェットヘッド１２を備えるインクジェットプリンタであって、インクジェットヘッド１２は、媒体５０へインク滴を吐出するノズル１０４と、ノズル１０４から吐出されたインク滴に沿って媒体５０へ向かう気流を吹き出す気流吹出部１２０とを有する。【選択図】図３
2010195008.tif 000002
【特許請求の範囲】
【請求項１】
メタリック色、又はパール色のインクのインク滴を媒体へ向けて吐出するインクジェットヘッドを備えるインクジェットプリンタであって、
前記インクジェットヘッドは、
前記媒体へインク滴を吐出するノズルと、
前記ノズルから吐出された前記インク滴に沿って前記媒体へ向かう気流を吹き出す気流吹出部と
を有することを特徴とするインクジェットプリンタ。
【請求項２】
顔料を含むインクのインク滴を媒体へ向けて吐出するインクジェットヘッドを備えるインクジェットプリンタであって、
前記インクジェットヘッドは、
前記媒体へインク滴を吐出するノズルと、
前記ノズルから吐出された前記インク滴に沿って前記媒体へ向かう気流を吹き出す気流吹出部と
を有し、
前記顔料の長手方向の長さは、前記ノズルから前記媒体へ向かう方向と垂直な平面による前記インク滴の断面の直径の１／６以上であることを特徴とするインクジェットプリンタ。
【請求項３】
前記インクジェットヘッドは、前記媒体と対向する面であるノズル面に、ノズル列として列状に並ぶ複数の前記ノズルを有し、
前記気流吹出部は、少なくとも、前記ノズル面において前記ノズル列の両隣に隣接する領域であり、前記ノズル列の列方向に沿って延伸する領域から、前記ノズル列を挟むスリット状の気流を吹き出すことを特徴とする請求項１又は２に記載のインクジェットプリンタ。
【請求項４】
前記インクジェットヘッドは、前記媒体への着弾時の前記インク滴の速度が、前記媒体への到達時点での前記気流の速度よりも大きくなる初速度で、前記ノズルから前記インク滴を吐出することを特徴とする請求項１から３のいずれかに記載のインクジェットプリンタ。
【請求項５】
前記ノズルは、前記インクジェットヘッドにおいて前記媒体と対向する面であるノズル面に形成されており、
前記気流吹出部は、
前記ノズルから吐出される前記インク滴に沿って前記媒体へ向かう気流である主気流を吹き出す吹出口であり、前記ノズル面において前記ノズルと隣接する位置に形成される主気流吹出口と、
前記インク滴から前記主気流までの距離よりも前記インク滴からの距離が大きな位置において前記インク滴に沿って前記媒体へ向かう気流である副気流を吹き出す吹出口であり、前記ノズル面において前記主気流吹出口を挟んで前記ノズルと隣接する位置に形成される副気流吹出口と
を有することを特徴とする請求項１から４のいずれかに記載のインクジェットプリンタ。
【請求項６】
前記インクジェットプリンタは、
前記ノズルから吐出される前のインクを貯留するインク貯留部と、
前記インク貯留部の雰囲気の圧力を調整する圧力調整部と
を更に有し、
前記圧力調整部は、前記気流吹出部による前記気流の吹き出しの圧力を前記インク貯留部へ伝えることにより、前記インク貯留部の雰囲気の圧力を調整することを特徴とする請求項１から５のいずれかに記載のインクジェットプリンタ。
【請求項７】
メタリック色、又はパール色のインクのインク滴を媒体へ向けて吐出するインクジェットヘッドであって、
前記媒体へインク滴を吐出するノズルと、
前記ノズルから吐出された前記インク滴に沿って前記媒体へ向かう気流を吹き出す気流吹出部と
を備えることを特徴とするインクジェットヘッド。
【請求項８】
顔料を含むインクのインク滴を媒体へ向けて吐出するインクジェットヘッドであって、
前記媒体へインク滴を吐出するノズルと、
前記ノズルから吐出された前記インク滴に沿って前記媒体へ向かう気流を吹き出す気流吹出部と
を備え、
前記顔料の長手方向の長さは、前記ノズルから前記媒体へ向かう方向と垂直な平面による前記インク滴の断面の直径の１／６以上であることを特徴とするインクジェットヘッド。
【請求項９】
メタリック色、又はパール色のインクのインク滴を媒体へ向けて吐出することにより、インクジェット方式で印刷を行う印刷方法であって、
ノズルから、前記媒体へインク滴を吐出し、
前記ノズルから吐出された前記インク滴に沿って前記媒体へ向かう気流を、気流吹出部から吹き出すことを特徴とする印刷方法。
【請求項１０】
顔料を含むインクのインク滴を媒体へ向けて吐出することにより、インクジェット方式で印刷を行う印刷方法であって、
前記顔料の長手方向の長さは、前記ノズルから前記媒体へ向かう方向と垂直な平面による前記インク滴の断面の直径の１／６以上であり、
ノズルから、前記媒体へインク滴を吐出し、
前記ノズルから吐出された前記インク滴に沿って前記媒体へ向かう気流を、気流吹出部から吹き出すことを特徴とする印刷方法。
【発明の詳細な説明】
【技術分野】
【０００１】
本発明は、インクジェットプリンタ、インクジェットヘッド、及び印刷方法に関する。
【背景技術】
【０００２】
従来、ノズルからインク滴を吐出することで印刷を行うインクジェットプリンタが広く用いられている。また、近年、メタリック色のインク（メタリックインク）やパール色のインク（パールインク）を用いてインクジェットプリンタにより印刷を行う試みがなされている。
【発明の開示】
【発明が解決しようとする課題】
【０００３】
しかし、メタリック色やパール色を適切に再現するためには、例えば、顔料を鱗片状にし、かつ比較的サイズが大きな顔料を使用する必要がある。そのため、メタリック色やパール色のインクをインクジェットプリンタで使用すると、インク滴の吐出時に顔料の位置でインク滴が分断され、吐出時に微小なサテライトが発生しやすくなる。
【０００４】
ここで、飛翔する液滴の運動エネルギーは、その質量に比例する。また、液滴の質量は、その半径ｒの３乗（ｒ３）に比例する。液滴の半径とは、例えば、液滴の形状を球形近似した場合の半径である。
【０００５】
これに対し、飛翔する液滴が空気中で受ける空気抵抗には、半径ｒに比例する成分と、半径ｒの２乗（ｒ２）に比例する成分がある。そのため、全体での空気抵抗は、ｒ〜ｒ２の間の値に比例することとなる。
【０００６】
このような運動エネルギーと空気抵抗との関係により、空気中を液滴が飛翔する場合、液滴のサイズが小さくなると、空気抵抗の影響がより顕著となる。そのため、微小なサテライトが発生しやすくなると、空気抵抗の影響が大きくなりインク滴のミスト化等が生じやすくなる。また、その結果、ミスト化したインクがプリンタ内や媒体（プリント物）に付着し、機内汚れや媒体の品質劣化を生じやすくなるおそれがある。
【０００７】
また、微小液滴であるサテライトは、空気抵抗の影響を受けやすいため、飛翔速度の減速が急激におこり、着弾位置が不正確になりやすい。そのため、メタリック色やパール色のインクをインクジェットプリンタで使用する場合、印刷結果のエッジが不正確になるおそれもある。
【０００８】
更には、インク滴の吐出時に顔料の位置でインク滴が分断されると、インク滴のサイズのバラツキが大きくなるおそれがある。また、その結果、インク滴の飛翔速度のバラツキも大きくなり、着弾位置の制御が更に難しくなるおそれもある。
【０００９】
以上のような理由により、従来、インクジェットプリンタにおいて、メタリック色やパール色をきれいに再現することが困難な場合があった。また、そのため、メタリック色やパール色のインクをインクジェットプリンタで適切に使用することが困難な場合があった。そこで、本発明は、上記の課題を解決できるインクジェットプリンタ、インクジェットヘッド、及び印刷方法を提供することを目的とする。
【００１０】
尚、本発明に関連する先行技術を調査したところ、不活性ガスを導入しつつノズルから溶融半田を吐出するバンプ形成装置に関する特許文献１を発見した。また、空気流と静電力を利用したインクジェット記録装置に関する特許文献２を発見した。しかし、これらの特許文献に記載された構成は、本願発明とは全く異なる課題を解決するための構成である。また、構成も、本願発明と異なっている。
【特許文献１】特開２０００−２９４５９１号公報
【特許文献２】特開平８−２３８７６６号公報
【課題を解決するための手段】
【００１１】
上記の課題を解決するために、本発明は、以下の構成を有する。
（構成１）メタリック色、又はパール色のインクのインク滴を媒体へ向けて吐出するインクジェットヘッドを備えるインクジェットプリンタであって、インクジェットヘッドは、媒体へインク滴を吐出するノズルと、ノズルから吐出されたインク滴に沿って媒体へ向かう気流を吹き出す気流吹出部とを有する。
【００１２】
ノズルは、例えば、インクジェットヘッドにおいて媒体と対向する面であるノズル面に形成される。また、気流吹出部は、例えば、ノズル面においてノズルの周囲に形成された吹出口を有し、その吹出口から、媒体へ向かう気流を吹き出す。この吹出口は、例えば、配管により、ブロワーと連結されており、ブロワーが発生する気流を吹き出す。
【００１３】
メタリック色、又はパール色のインクは、例えば、鱗片状の顔料を含む。この鱗片状の顔料は、例えば、厚さが１μｍ以下の板状体である。また、顔料の主表面は、例えば、一辺が５〜１０μｍの略四角形である。顔料の主表面の一辺は、例えば１０μｍ以上であってもよい。メタリック色のインクとは、例えば、金、銀、又はアルミ等の金属の色のインク等である。また、パール色のインクは、真珠の色、又は虹色のインク等である。
【００１４】
このように構成した場合、例えば、ノズルから媒体へ向かう気流の中でインク滴を飛翔させることとなる。そのため、周囲の空気に対するインク滴の相対速度は、気流を発生させない場合と比べて小さくなる。そして、その結果、インク滴が受ける空気抵抗の影響も小さくなる。
【００１５】
そのため、サテライトの発生により微小液滴のインク滴が発生した場合にも、例えば、ミスト化等を適切に抑えることができる。また、気流によるアシストを行うことにより、インク滴は、媒体へ、より到達しやすくなる。そのため、このように構成すれば、インク滴を媒体へ適切に到達させることができる。また、これにより、例えば、メタリック色やパール色のインク等の、サテライトが発生しやすいインクを用いる場合であっても、インクジェットプリンタにより適切に印刷を行うことが可能になる。従って、このように構成すれば、例えば、メタリック色やパール色のインクを、インクジェットプリンタで適切に使用することが可能になる。
【００１６】
更には、このように構成すれば、例えば、気流によりインク滴の飛翔をアシストすることにより、ミスト化せずにインクが飛翔する飛翔距離を増大させることができる。そのため、例えばインクジェットヘッドと媒体との間の距離（ギャップ長）が大きい場合にも、適切に印刷を行うことができる。また、これにより、例えば、ギャップ長の大きなインクジェットプリンタにおいても、メタリック色やパール色のインクを適切に使用することが可能になる。
【００１７】
尚、媒体にインク滴が着弾するタイミングにおけるインク滴の速度をｖ１、その周囲における気流の速度（流速）をｖ２とした場合、速度ｖ１は、例えば速度ｖ２の０．５〜５倍の範囲であることが好ましい。また、気流吹出部において、気道を形成する構造体は、例えば、ノズルが形成されている部分であるインクジェットヘッドの本体から分離できる構造とすることが好ましい。このように構成すれば、例えば、インクの汚れ等の清掃を行いやすくできる。
【００１８】
また、このインクジェットプリンタは、メタリック色、又はパール色のインクの他に、例えばＹＭＣＫインク等のインクを更に使用してよい。この場合、インクジェットプリンタは、ＹＭＣＫインクを用いる印刷を、例えば、気流を発生させない状態で行ってもよい。また、ＹＭＣＫインクを用いる印刷も、メタリック色、又はパール色のインクを用いる印刷と同様に、気流を発生させる状態で行ってもよい。
【００１９】
（構成２）顔料を含むインクのインク滴を媒体へ向けて吐出するインクジェットヘッドを備えるインクジェットプリンタであって、インクジェットヘッドは、媒体へインク滴を吐出するノズルと、ノズルから吐出されたインク滴に沿って媒体へ向かう気流を吹き出す気流吹出部とを有し、顔料の長手方向の長さは、ノズルから媒体へ向かう方向と垂直な平面によるインク滴の断面の直径の１／６以上である。
【００２０】
例えば、ノズルの直径が３０μｍ以下（例えば２５〜３０μｍ）の場合、顔料の長手方向長さは、例えば、５μｍ以上（例えば、５〜２０μｍ）であってよい。ノズルから媒体へ向かう方向は、例えば、鉛直下方へ向かう方向である。
【００２１】
メタリック色、又はパール色のインク以外のインクを用いる場合であっても、インク滴のサイズに対する顔料のサイズの比率が大きい場合、メタリック色、又はパール色のインクを用いる場合と同様に、サテライトが発生しやすくなる。また、その結果、例えば従来の方法で印刷を行うと、ミスト化等が生じやすくなり、適切に印刷を行うことが困難になるおそれがある。
【００２２】
これに対し、このように構成すれば、例えば、サテライトの発生により微小液滴のインク滴が発生した場合にも、例えば、ミスト化等を適切に抑え、インク滴を媒体へ適切に到達させることができる。また、これにより、インク滴のサイズに対する顔料のサイズの比率が大きいインクを用いる場合であっても、インクジェットプリンタにより適切に印刷を行うことが可能になる。また、例えばギャップ長が大きい場合にも、適切に印刷を行うことができる。
【００２３】
ここで、インク滴の断面とは、例えば、断面が最も広くなる部分の断面である。この断面は、例えば、このインクジェットプリンタにおける標準的なサイズのインク滴における断面である。標準的なサイズのインク滴とは、例えば、インクジェットプリンタの設計において設定された容量のインク滴である。インク滴の断面の直径は、例えば、インク滴の容量を想定して行うシミュレーション等により算出される直径であってもよい。
【００２４】
また、このインクの顔料は、例えば、鱗片状、又は針状等の異方性形状のインクである。顔料が鱗片状である場合、この顔料は、例えば、メタリック色やパール色のインクの顔料と同様の形状を有する。また、この場合、顔料の長手方向とは、例えば、主表面の最大の対角線の長さである。主表面の対角線とは、例えば、主表面の形状を多角形近似した場合の、その多角形の対角線である。
【００２５】
また、針状の顔料とは、例えば、長手方向の長さが短手方向の長さの６０倍以上の形状の顔料である。この場合、顔料の長手方向とは、針状の延伸方向における長さである。この長さは、例えば、３０μｍ程度（例えば２５〜３５μｍ）の長さである。顔料の長さは、例えば３０μｍ以上であってもよい。また、顔料の短手方向とは、例えば、長さ方向と垂直な断面の直径である。この直径は、例えば、断面の外接円の直径であってよい。この直径は、例えば、直径０．５μｍ程度（例えば０．３〜１．０μｍ）である。
【００２６】
また、この顔料は、異方性形状ではなく、例えば球状又は正多面体状等の等方的な形状を有する大きな粒子であってもよい。このような顔料としては、例えば大きな面積の塗りつぶしに用いるインクの顔料等が考えられる。例えば、この顔料は、白インクの顔料であってよい。
【００２７】
（構成３）インクジェットヘッドは、媒体と対向する面であるノズル面に、ノズル列として列状に並ぶ複数のノズルを有し、気流吹出部は、少なくとも、ノズル面においてノズル列の両隣に隣接する領域であり、ノズル列の列方向に沿って延伸する領域から、ノズル列を挟むスリット状の気流を吹き出す。
【００２８】
インクジェットプリンタにおいては、例えば、複数のノズルから同時にインク滴を吐出することにより、印刷速度を向上させる。しかし、例えばインク滴に沿った気流を発生させようとする場合に、個々のノズル毎に個別の気流を発生させようとすると、コストの大幅の上昇を招くおそれがある。また、ノズルの間隔が大きくなり、高い解像度での印刷が難しくなるおそれもある。
【００２９】
これに対し、このように構成すれば、例えば、コストの大幅な上昇や印刷解像度の低下を起こすことなく、ノズル列中の複数のノズルに対して共通に、適切な気流を発生させることができる。また、これにより、例えば、メタリック色やパール色のインク、又はサイズの大きな顔料を含むインク等を、インクジェットプリンタでより適切に使用することが可能になる。
【００３０】
（構成４）インクジェットヘッドは、媒体への着弾時のインク滴の相対速度が、媒体への到達時点での気流の速度よりも大きくなる初速度で、ノズルからインク滴を吐出する。また、気流吹出部は、これに対応する初速度で、気流を吹き出す。
【００３１】
媒体への着弾時点において、気流に対するインク滴の速度が０になっていると、例えば気流に乱れが生じた場合等に、インク滴の着弾精度に影響が生じやすくなるおそれもある。これに対し、このように構成すれば、媒体へ向かう方向へのインク滴の相対速度を着弾時点においても正に維持することにより、より高い精度でインク滴を着弾させることができる。また、これにより、例えば、メタリック色やパール色のインク、又はサイズの大きな顔料を含むインク等を、インクジェットプリンタでより適切に使用することが可能になる。尚、媒体にインク滴が着弾するタイミングにおけるインク滴の速度をｖ１、その周囲における主気流の速度（流速）をｖ２とした場合、速度ｖ１は、例えば速度ｖ２の１．１〜５倍の範囲であることが好ましい。
【００３２】
また、例えば着弾時点での気流の乱れの影響が小さい場合等には、速度ｖ１を、１．１ｖ２以下にすることも考えられる。この場合、速度ｖ１は、例えば、より広い範囲の速度に設定可能である。速度ｖ１は、例えば、速度ｖ２の０．５〜５倍の範囲の速度であってもよい。また、速度ｖ１は、例えば、速度ｖ２の０．８〜５倍の範囲の速度とすることがより好ましい。
【００３３】
（構成５）ノズルは、インクジェットヘッドにおいて媒体と対向する面であるノズル面に形成されており、気流吹出部は、ノズルから吐出されるインク滴に沿って媒体へ向かう気流である主気流を吹き出す吹出口であり、ノズル面においてノズルと隣接する位置に形成される主気流吹出口と、インク滴から主気流までの距離よりもインク滴からの距離が大きな位置においてインク滴に沿って媒体へ向かう気流である副気流を吹き出す吹出口であり、ノズル面において主気流吹出口を挟んでノズルと隣接する位置に形成される副気流吹出口とを有する。
【００３４】
インク滴の着弾精度を一層正確にするためには、インク滴の周囲に層流の気流を発生させることが有効である。このように構成すれば、主気流及び副気流の２段階の気流を発生させることにより、インク滴に近い領域を流れる主気流を適切に層流にできる。また、これにより、より高い精度でインク滴を着弾させることができる。
【００３５】
更には、主気流が層流になりやすい構成とすることにより、主気流の速度をより高めることも可能になる。これにより、例えば、インク滴が受ける空気抵抗の影響をより低減できる。
【００３６】
ここで、副気流吹出口は、例えば、速度が主気流の０．３〜１．２倍の副気流を吹き出す。このように構成すれば、例えば、副気流により、主気流を適切に支えることができる。副気流の速度は、好ましくは、主気流の０．８〜１．２倍である。
【００３７】
また、この場合における主気流の速度、及び副気流の速度とは、例えば、それぞれの気流の初速度である。主気流の初速度とは、例えば、主気流吹出口から吹き出された直後における主気流の速度である。副気流の初速度とは、例えば、副気流吹出口から吹き出された直後における副気流の速度である。
【００３８】
副気流は、存在するのみでも、主気流を支える効果を生じる。しかし、主気流をより適切に支えるためには、副気流の速度を、主気流とほぼ同じか、主気流よりも若干小さくすることが好ましい。また、主気流及び副気流は、媒体に達するまでの間に減速する。そして、より外側を流れる副気流の方が、主気流よりも減速しやすい。そのため、初速度の段階で副気流の速度の方が若干速くても、媒体への到達時点では、逆転したり、等速に近くなる。従って、副気流の速度を上記のように設定すれば、副気流を用いることの効果をより高めることができる。
【００３９】
尚、主気流及び副気流の速度のより好ましい関係は、例えば、それぞれが設けられる位置や、ノズルからの距離によって変わる。そのため、例えば、主気流及び副気流の速度の関係については、例えば、上記の範囲から、インクジェットヘッドの構成に応じて適宜調整することが好ましい。
【００４０】
また、気流吹出部は、一の主気流吹出口に対して、その主気流吹出口からの位置が異なる複数の副気流吹出口を有してもよい。この場合、例えば、少なくとも主気流に最も近い副気流吹出口から吹き出される副気流の速度を、上記のように設定することが好ましい。また、この場合、主気流吹出口により近い副気流吹出口は、主気流により近い速度の副記流を吹き出すことが好ましい。また、主気流吹出口からより遠い外側の副気流吹出口程、より低速の副気流を吹き出すことが好ましい。このように構成すれば、例えば、副気流により主気流をより適切に支えることができる。また、これにより、主気流をより適切に層流にできる。
【００４１】
（構成６）インクジェットプリンタは、ノズルから吐出される前のインクを貯留するインク貯留部と、インク貯留部の雰囲気の圧力を調整する圧力調整部とを更に有し、圧力調整部は、気流吹出部による気流の吹き出しの圧力をインク貯留部へ伝えることにより、インク貯留部の雰囲気の圧力を調整する。
【００４２】
気流を発生させる効果を適切に発揮させるためには、気流の速度を高めることが必要な場合がある。例えば、層流を安定して形成するには、気流（主気流）の速度を高くする必要がある。そして、このような場合、気流の圧力は、ノズル近辺において正圧となる。また、その結果、ノズルからインクジェットヘッド内部への気流の逆流が生じやすくなる。
【００４３】
これに対し、このように構成した場合、例えば、気流の吹き出しの圧力に応じて、インクジェットヘッドの内部の側の圧力を適切に調整できる。そのため、このように構成すれば、例えば、インクジェットヘッドの内部と外部との間で生じる圧力を、一定の圧力に適切に維持できる。また、これにより、例えば、ノズルからインクジェットヘッド内部への空気の混入を防止できる。また、例えば、ノズルからインクジェットヘッド外部へのインクの漏れ等も、適切に防止できる。
【００４４】
尚、インク貯留部は、例えば、インクジェットヘッド内部におけるインク供給側の領域、又は、インクジェットヘッドへのインク供給経路の途中に設けられる中間タンク等である。また、圧力調整部は、例えば、インク貯留部に連結される配管である。この配管は、例えば、気流（主気流）を発生させるブロワーから気流の吹出口までの配管を分岐した配管である。
【００４５】
このように構成した場合、例えば、ブロワーの圧力が変動しても、ノズルを介して接続されるインクジェットヘッドの内部と外部との間で、圧力の変動はキャンセルされる。そのため、このように構成すれば、例えば、インクジェットヘッド内部と外部との間で生じる圧力を、一定の圧力に適切に維持できる。
【００４６】
（構成７）メタリック色、又はパール色のインクのインク滴を媒体へ向けて吐出するインクジェットヘッドであって、媒体へインク滴を吐出するノズルと、ノズルから吐出されたインク滴に沿って媒体へ向かう気流を吹き出す気流吹出部とを備える。このように構成すれば、例えば、構成１と同様の効果を得ることができる。
【００４７】
（構成８）顔料を含むインクのインク滴を媒体へ向けて吐出するインクジェットヘッドであって、媒体へインク滴を吐出するノズルと、ノズルから吐出されたインク滴に沿って媒体へ向かう気流を吹き出す気流吹出部とを備え、顔料の長手方向の長さは、ノズルから媒体へ向かう方向と垂直な平面によるインク滴の断面の直径の１／６以上である。このように構成すれば、例えば、構成２と同様の効果を得ることができる。
【００４８】
（構成９）メタリック色、又はパール色のインクのインク滴を媒体へ向けて吐出することにより、インクジェット方式で印刷を行う印刷方法であって、ノズルから、媒体へインク滴を吐出し、ノズルから吐出されたインク滴に沿って媒体へ向かう気流を、気流吹出部から吹き出す。このようにすれば、例えば、構成１と同様の効果を得ることができる。
【００４９】
（構成１０）顔料を含むインクのインク滴を媒体へ向けて吐出することにより、インクジェット方式で印刷を行う印刷方法であって、顔料の長手方向の長さは、ノズルから媒体へ向かう方向と垂直な平面によるインク滴の断面の直径の１／６以上であり、ノズルから、媒体へインク滴を吐出し、ノズルから吐出されたインク滴に沿って媒体へ向かう気流を、気流吹出部から吹き出す。このようにすれば、例えば、構成２と同様の効果を得ることができる。
【発明の効果】
【００５０】
本発明によれば、例えば、メタリック色やパール色のインクを、インクジェットプリンタで適切に使用できる。また、例えば、サイズの大きな顔料を含むインクを、インクジェットプリンタで適切に使用できる。
【発明を実施するための最良の形態】
【００５１】
以下、本発明に係る実施形態を、図面を参照しながら説明する。図１は、本発明の一実施形態に係るインクジェットプリンタ１０の構成の一例を示す。インクジェットプリンタ１０は、インクジェット方式で媒体５０に対して印刷を行う印刷装置であり、インクジェットヘッド１２、インクボトル１４、インク中間タンク１６、ブロワー１８、気流供給配管２０、及び気流分岐配管２２を備える。
【００５２】
また、本例において、インクジェットプリンタ１０は、マルチパス方式で印刷を行う印刷装置であり、インク滴を吐出しながら移動するスキャン動作をインクジェットヘッド１２に行わせる。そのため、図示は省略したが、インクジェットプリンタ１０は、例えば、インクジェットヘッド１２を移動させるヘッド駆動機構や、媒体５０を搬送する搬送機構等を更に備える。
【００５３】
インクジェットヘッド１２は、インク滴を吐出するノズル１０４を有する印刷ヘッドである。本例において、インクジェットヘッド１２は、媒体５０と対向する面であるノズル面に、ノズル列１０６として列状に並ぶ複数のノズル１０４を有する。また、ノズル列１０６の周囲に、気流吹出部１２０を有する。気流吹出部１２０は、ノズル１０４から吐出されたインク滴に沿って媒体５０へ向かう気流を吹き出す。この気流により、本例において、インクジェットヘッド１２は、インク滴の飛翔をアシストする。気流を吹き出す構成や、その効果等については、後に更に詳しく説明する。
【００５４】
インクボトル１４は、インクジェットプリンタ１０で使用されるインクを貯留するボトルである。また、インク中間タンク１６は、インクボトル１４とインクジェットヘッド１２とを繋ぐインク経路の途中においてインクを貯留するタンクである。インク中間タンク１６は、インクボトル１４から供給されるインクを貯留し、印刷動作の進行に応じて、インクジェットヘッド１２へ、インクを供給する。また、本例において、インク中間タンク１６は、ノズル１０４から吐出される前のインクを貯留するインク貯留部として機能する。尚、本発明の変形例においては、インクジェットヘッド１２の内部におけるインク供給側の領域又はインクボトル１４等が、インク貯留部として機能してもよい。
【００５５】
ここで、本例において、インクジェットプリンタ１０は、少なくとも、メタリック色、又はパール色のインクを用いて印刷を行う。そのため、インクボトル１４及びインク中間タンク１６は、メタリック色、又はパール色のインクを貯留する。
【００５６】
インクジェットプリンタ１０は、メタリック色、又はパール色のインク以外に、必要に応じて、各種のインクを更に用いてよい。例えば、インクジェットプリンタ１０は、ＹＭＣＫインクを更に用いて印刷を行う。また、インクジェットプリンタ１０は、メタリック色、及びパール色のインクの両方を用いてもよい。これらの場合、インクジェットプリンタ１０は、例えば、インクボトル１４やインク中間タンク１６等の構成を、インクの色毎に備える。
【００５７】
ブロワー１８は、気流を発生させる気流発生装置であり、発生した気流を、気流供給配管２０を介して、インクジェットヘッド１２へ供給する。これにより、ブロワー１８は、インクジェットヘッド１２に、気流吹出部１２０から、気流を吹き出させる。
【００５８】
気流供給配管２０は、ブロワー１８とインクジェットヘッド１２とを繋ぐ配管であり、ブロワー１８が発生する気流を、インクジェットヘッド１２へ供給する。気流分岐配管２２は、気流供給配管２０を分岐した配管であり、インク中間タンク１６に連結されることにより、ブロワー１８とインク中間タンク１６とを繋ぐ。
【００５９】
この構成により、気流分岐配管２２は、インクジェットヘッド１２における気流吹出部１２０による気流の吹き出しの圧力を、インク貯留部であるインク中間タンク１６へ伝える。これにより、気流分岐配管２２は、インク貯留部の雰囲気の圧力を調整する圧力調整部として機能する。
【００６０】
ここで、気流を発生させる効果を適切に発揮させるためには、気流の速度を高めることが必要な場合がある。そして、このような場合、ノズル１０４の近辺において気流の圧力が正圧となり、ノズル１０４からインクジェットヘッド１２の内部への気流の逆流が生じやすくなる。
【００６１】
これに対し、本例によれば、例えば、気流の吹き出しの圧力に応じて、インクジェットヘッド１２の内部の側の圧力を適切に調整できる。そのため、インクジェットヘッド１２の内部と外部との間で生じる圧力を、一定の圧力に適切に維持できる。また、これにより、例えば、ノズル１０４からインクジェットヘッド１２の内部への空気の混入を防止できる。また、例えば、ノズル１０４からインクジェットヘッド１２外部へのインクの漏れ等も、適切に防止できる。
【００６２】
更には、本例においては、例えば、ブロワー１８の圧力が変動しても、ノズル１０４を介して接続されるインクジェットヘッド１２の内部と外部との間で、圧力の変動はキャンセルされる。そのため、本例によれば、例えば、インクジェットヘッド１２の内部と外部との間で生じる圧力を、一定の圧力に適切に維持できる。
【００６３】
図２及び図３は、気流を吹き出す構成、及びその効果の一例について説明する図である。図２は、インクジェットヘッドのノズルから吐出されるインク滴の様子をモデル化して示す図であり、気流を吹き出さない場合のインク滴の飛翔の様子を示す。インクジェット方式でインクを吐出する場合、メインの液滴（主滴）以外に、サテライトと呼ばれる主滴より小さな液滴が発生することが多い。そして、このサテライトは、質量が小さく、運動エネルギーが小さいために、主滴よりも、空気抵抗の影響を受けやすい。
【００６４】
図２（ａ）は、例えばＹＭＣＫインク等の通常のインクジェットインクをノズルから吐出する場合について、インクのサテライトがミスト化する様子の一例を示す。インクジェットヘッドが吐出したインク滴が媒体５０に着弾するためには、インクジェットヘッドと媒体５０との間の距離であるギャップ長Ｌｇ以上の飛距離でインク滴が飛翔する必要がある。しかし、液滴のサイズが小さいサテライトは、主滴よりも、空気抵抗の影響を多く受ける。そのため、サテライトは、主滴より早く減速し、媒体５０に到着できずに気流に流されミスト化しやすい。
【００６５】
図２（ｂ）は、ギャップ長Ｌｇをより大きくした場合の様子の一例を示す。ギャップ長Ｌｇを大きくすると、図示したように、媒体５０に到達するまでに受ける空気抵抗の影響がより大きくなるため、主滴もミスト化することとなる。そのため、ギャップ長Ｌｇの大きさは、最大でも、インク滴の主滴が媒体５０へ到達し得る大きさにする必要がある。液滴のサイズが３ｐｌ程度のＹＭＣＫインクを用いるインクジェットプリンタにおいて、ギャップ長Ｌｇは、例えば、２〜４ｍｍ程度である。
【００６６】
図２（ｃ）は、メタリック色、又はパール色のインクを用いる場合の様子の一例を示す。本例において、このメタリック色、又はパール色のインクは、鱗片状の顔料を含む。この鱗片状の顔料は、例えば、厚さが１μｍ以下の板状体である。また、顔料の主表面は、例えば、一辺が５〜１０μｍの略四角形である。
【００６７】
このようなインクにおいては、ノズルからの吐出時において、顔料の位置でインクが分断されやすい。また、その結果、小さなサテライトが発生しやすいこととなる。このようなサテライトは、ノズルから吐出後、直ちに空気抵抗の影響で運動エネルギーを失い、ミスト化しやすい。そのため、このようなインクを用いる場合には、ＹＭＣＫインク等を用いる場合のギャップ長Ｌｇの大きさでも、多くのインク滴が媒体５０へ適切に到達できなくなるおそれがある。また、このような、ノズルから吐出後すぐに減速するインクは、着弾の位置が不正確になり、従来のインクジェットプリンタの構成では適切に使用できない場合がある。これに対し、図１を用いて説明したインクジェットプリンタ１０においては、インク滴の飛翔を気流によりアシストすることにより、インク滴を媒体５０へ適切に到達させる。
【００６８】
図３は、インクジェットヘッド１２のより詳細な構成の一例を示す図であり、インク滴の吐出方向と平行な平面によるインクジェットヘッド１２の断面におけるノズル１０４の近傍の構成を示す。この断面は、ノズル列１０６の列方向に対して垂直な断面である。
本例において、ノズル１０４は、インクジェットヘッド１２において媒体５０と対向する面であるノズル面に形成されている。また、気流吹出部１２０は、ノズル１０４の周囲に、気流の吹出口として、主気流吹出口１０８及び副気流吹出口１１０を有する。
【００６９】
主気流吹出口１０８は、ノズル面においてノズル列１０６と隣接する位置に形成される吹き出し口であり、ノズル１０４から吐出されるインク滴に沿って媒体５０へ向かう気流である主気流を吹き出す。これにより、主気流吹出口１０８は、インク滴の飛翔を直接アシストする気流を吹き出す。
【００７０】
副気流吹出口１１０は、ノズル面において主気流吹出口１０８を挟んでノズル１０４と隣接する位置に形成される吹出口であり、インク滴から主気流までの距離よりもインク滴からの距離が大きな位置においてインク滴に沿って媒体へ向かう気流である副気流を吹き出す。この副気流は、例えば、主気流に沿って流れることで主気流の流れを制御する気流である。本例において、副気流は、主気流に沿って流れることにより、主気流を層流に保ちつつ、主気流をより遠くへ誘導する。これにより、副気流吹出口１１０は、主気流を介して間接的にインク滴の飛翔をアシストする気流を吹き出す。
【００７１】
また、本例において、副気流吹出口１１０は、媒体５０へ向かう速度が主気流とほぼ同じか、若干小さな気流を、副気流として吹き出す。このように構成すれば、例えば、主気流をより適切に層流にできる。副気流の速度は、例えば、主気流の速度の０．３〜１．２倍、より好ましくは、０．８〜１．２倍である。このように構成すれば、例えば、副気流により主気流をより適切に支えることができる。また、これにより、主気流をより適切に層流にできる。
【００７２】
また、本例においては、層流の主気流をより適切に遠くへ誘導するために、気流吹出部１２０は、一の主気流吹出口１０８に対して、その主気流吹出口１０８からの位置が異なる複数の副気流吹出口１１０を有する。この場合、主気流吹出口１０８により近い副気流吹出口１１０は、主気流により近い速度の副記流を吹き出すことが好ましい。このように構成すれば、より適切に主気流を層流にできる。
【００７３】
尚、本例において、主気流吹出口１０８は、図中に３Ｄ拡大図として示したように、長手方向がノズル列１０６と平行なスリット状の気流を吹き出す。また、副気流吹出口１１０は、主気流と平行なスリット状の気流を吹き出す。これにより、気流吹出部１２０は、インク滴の吐出方向と同じ方向に、ノズル列１０６をカバーできるようスリット状の気流を形成する。
【００７４】
また、本発明の変形例においては、主気流の幅を広くすることにより、副気流を発生させることなく、主気流を適切に層流化してもよい。主気流の幅とは、例えば、スリット状の主気流におけるスリットの幅である。この場合、気流吹出部１２０は、ギャップ長の１０％以上の幅を有する気流（主気流）を吹き出すことが好ましい。
【００７５】
ここで、インクジェットプリンタにおいてインク滴が吐出される様子について説明する。インクジェットプリンタにおけるインク滴の吐出時においては、図に示したように、インクジェットヘッド１２の内部から外部へ向かう吐出の圧力に応じて、先ず、ノズル１０４から伸びる柱状のインク（インク柱）が形成される。そして、インク柱の先端部分に溜まったインクがインク滴となってインク柱から分離することにより、媒体５０に向かうインク滴が吐出される。そして吐出されたインク滴は、吐出の圧力に応じた初速度で、媒体５０へ向かって移動する。
【００７６】
そのため、例えばメタリック色やパール色のインクのように、インクが鱗片状の顔料を含む場合等には、本来形成しようとするサイズのインク滴である主滴が形成される前に、顔料の位置でインク滴がインク柱から離れやすくなる。また、その結果、図に示したように、大小様々なサイズのサテライトが発生しやすくなる。そのため、従来公知の一般的なインクジェットプリンタでは、インク滴が空気抵抗の影響を受けやすくなる。
【００７７】
これに対し、本例においては、ノズル１０４から媒体５０へ向かう気流の中でインク滴を飛翔させることとなる。そのため、周囲の空気に対するインク滴の相対速度は、気流を発生させない場合と比べて小さくなる。そして、媒体５０へ向かう移動中において、インク滴は、周囲の空気に対する相対速度に応じて、空気抵抗を受ける。そのため、主気流の中を移動するインク滴が受ける同一速度における空気抵抗の影響は、主気流を吹き出さない場合と比べて小さくなる。
【００７８】
従って、本例によれば、例えば、サテライトの発生により微小液滴のインク滴が発生した場合にも、例えば、ミスト化等を適切に抑えることができる。また、気流によるアシストを行うことにより、インク滴は、媒体５０へ、より到達しやすくなる。そのため、本例によれば、例えば、少なくともギャップ長の距離以上、媒体５０へ向けて真っ直ぐにインク滴を吐出することが可能になり、インク滴を媒体５０へ、適切に到達させることができる。
【００７９】
これにより、例えば、サテライトが発生しやすいインクを用いる場合であっても、インクジェットプリンタにより、高精細な印刷を適切に行うことが可能になる。また、例えば、メタリック色やパール色のインク等を、インクジェットプリンタで適切に使用することが可能になる。
【００８０】
更には、本例によれば、例えば、気流によりインク滴の飛翔をアシストすることにより、ミスト化せずにインクが飛翔する飛翔距離を増大させることができる。そのため、例えばギャップ長が大きい場合にも、適切に印刷を行うことができる。また、これにより、例えば、ギャップ長の大きなインクジェットプリンタにおいても、メタリック色やパール色のインクを適切に使用することが可能になる。
【００８１】
また、本例によれば、主気流及び副気流の２段階の気流を発生させ、主気流の外に副気流を流すことにより、インク滴に近い領域に、より安定な層流の主気流を形成できる。これにより、例えば、より高い精度でインク滴を着弾させることができる。また、主気流が層流になりやすい構成とすることにより、主気流の速度をより高めることも可能になる。これにより、例えば、インク滴が受ける空気抵抗の影響をより適切に低減できる。
【００８２】
更には、主気流をより遠くへ誘導することが可能になるため、例えば、ギャップ長をより大きくした場合にも、主気流を適切に形成できる。また、これにより、例えば、ギャップ長を大きくした場合にも、高精細な印刷が可能になる。
【００８３】
尚、サテライトが発生しやすいという問題は、メタリック色、又はパール色以外のインクであっても、例えば、インク滴のサイズに対する顔料のサイズの比率が大きい場合等に、同様に生じるおそれがある。例えば、顔料の長手方向の長さが、ノズルから媒体へ向かう方向と垂直な平面によるインク滴の断面の直径の１／６以上である場合、同様の問題が生じるおそれがある。そのため、気流によりインク滴の飛翔をアシストする上記の構成は、このようなインクを用いる場合にも有効である。
【００８４】
また、気流によりインク滴の飛翔をアシストする上記の構成は、例えば、ＹＭＣＫインク等の通常のインクジェットインクを用いる場合に適用することも考えられる。この場合、気流によるアシストでインク滴の飛翔距離を伸ばすことができるため、インクジェットヘッド１２と媒体５０との間のギャップ長をより大きくすることが可能になる。例えば、ギャップ長を、１０ｍｍ以上（例えば、１０〜１００ｍｍ）とすること等が考えられる。
【００８５】
続いて、本例におけるインク滴及び気流の速度について説明する。本例において、インクジェットヘッド１２は、例えば、媒体５０への着弾時のインク滴の速度ｖ１が、その周囲における主気流の速度ｖ２よりも大きくなる初速度ｖ１０で、ノズル１０４からインク滴を吐出する。主気流に入った初速度ｖ１０のインク滴の速度は、初速度ｖ１０に主気流の速度を加えた速度へと加速される。
【００８６】
速度ｖ１は、例えば、インク滴が着弾するタイミングにおける速度である。このインク滴は、例えば、必要な着弾精度に応じて予め設定されたサイズのインク滴である。このインク滴は、例えば主滴、又は予め設定されたサイズのサテライトであってよい。また、速度ｖ２は、例えば、媒体５０への到達時点での主気流の速度である。この場合、気流吹出部１２０は、これに対応する初速度で、主気流を吹き出す。速度ｖ１は、例えば、速度ｖ２の０．８〜５倍の範囲であることが好ましい。
【００８７】
速度ｖ１＝速度ｖ２の場合、両者の相対速度がゼロになり、空気抵抗の影響はなくなる。そのため、この場合にも、インク滴は媒体５０に到達する。しかし、この場合、着弾のタイミングでインク滴が主気流の影響を受け、気流と共に流されやすくなる。尚、確実に着弾位置を決定するには、ｖ１−ｖ２＞０の条件が必要である。
【００８８】
また、主気流は、媒体５０に到達すると、媒体５０の表面に沿って、インク滴から離れる方向へ流れる。そのため、媒体５０の近辺では、気流の乱れが生じやすくなるおそれがある。そして、速度ｖ１＝速度ｖ２であると、このような気流の乱れが生じた場合等に、インク滴の着弾位置が不正確になり、着弾精度に影響が生じやすくなる。
【００８９】
これに対し、本例によれば、例えば、着弾時点においても、インク滴の運動エネルギーを適切に維持しつつ、微小なインク滴を高い着弾精度でより遠距離に飛翔させることができる。また、これにより、例えば、メタリック色やパール色のインク、又はサイズの大きな顔料を含むインク等を、インクジェットプリンタでより適切に使用することが可能になる。
【００９０】
尚、媒体５０へ到達するまでの間、インク滴の速度は、インク滴の速度と主気流の速度の大小関係や、主気流の中で受ける空気抵抗の影響等により、変化する。主気流の速度よりもインク滴の速度の方が大きい場合、主気流中において、インク滴は減速すると考えられる。また、主気流の速度よりもインク滴の速度の方が大きい場合、インク滴は加速すると考えられる。
【００９１】
また、例えば着弾時点での気流の乱れの影響が小さい場合等には、速度ｖ１を、１．１ｖ２以下にすることも考えられる。この場合、速度ｖ１は、例えば、より広い範囲の速度に設定可能である。速度ｖ１は、例えば、速度ｖ２の０．５〜５倍の範囲の速度であってもよい。また、速度ｖ１は、例えば、速度ｖ２の０．８〜５倍の範囲の速度とすることがより好ましい。
【００９２】
図４は、インクジェットヘッド１２のより詳細な構成の第１の例を示す。図４（ａ）は、インクジェットヘッド１２の横断面図である。図４（ｂ）は、インクジェットヘッド１２を下面（ノズル面）側から見た図である。
【００９３】
本例において、インクジェットヘッド１２は、使用する複数の色のそれぞれを吐出する単色用のインクジェットヘッドを１つのユニット化した構成を有している。この場合、インクジェットヘッド１２は、例えば、ＹＭＣＫインクの各色のインクをそれぞれ吐出する単色用のインクジェットヘッドと、メタリック色、又はパール色のインクを吐出する単色用のインクジェットヘッドとを有する。それぞれの単色用インクジェットヘッドは、ノズル列１０６が形成されたノズルプレート１０２を有する。
【００９４】
また、それぞれの単色用インクジェットヘッドは、ヘッド毎に、気流吹出部１２０と、主気流導入口１１２及び副気流導入口１１４とを有する。また、気流吹出部１２０は、ノズル列３を包み込むようなスリット状の主気流吹出口１０８及び副気流吹出口１１０を有する。これにより、気流吹出部１２０は、ノズル列１０６の両隣に隣接する領域であり、ノズル列１０６の列方向に沿って延伸する領域から、ノズル列１０６を挟むスリット状の気流を吹き出す。
【００９５】
主気流導入口１１２は、主気流として吹き出す空気の導入口である。また、副気流導入口１１４は、副気流として吹き出す空気の導入口である。本例において、主気流導入口１１２及び副気流導入口１１４は、気流供給配管２０を介してブロワー１８と接続されており、主気流吹出口１０８及び副気流吹出口１１０が吹き出す気流に応じた圧力の空気を、ブロワー１８からそれぞれ受け取る。尚、主気流導入口１１２及び副気流導入口１１４は、例えば、後に図５を用いて説明する構成のように、インクジェットヘッド１２の１か所に、各色のノズル列１０６に対して共通に設けられてもよい。
【００９６】
本例によれば、例えば、飛翔するインク滴の周囲に適切に気流を発生させることができる。また、これにより、例えば、メタリック色やパール色のインク等を、インクジェットプリンタで適切に使用することが可能になる。
【００９７】
更には、例えば、ノズル列１０６単位に気流を発生させることにより、ノズル１０４毎に個別の気流を発生する場合等と比べ、印刷解像度を高解像度化しやすくなる。また、気流吹出部１２０を設けることによるコストの大幅な上昇を防ぐこともできる。また、例えば、インクジェット本体部分について、従来の製造技術をそのまま使用して製造することも可能である。これにより、コストの上昇を更に適切に抑えることができる。
【００９８】
尚、気流吹出部１２０において、気道を形成する構造体は、例えば、インクジェットヘッド１２の本体から分離できる構造とすることが好ましい。このように構成すれば、例えば、インクの汚れ等の清掃を行いやすくできる。
【００９９】
また、それぞれのノズル列１０６に対してできるだけ均一かつ同じ強さの気流を噴き出す目的に沿う限り、気流の入口の数や、ノズル面における気道の構造等は、適宜変更可能である。例えば、気道を気流の方向に隔壁で仕切ることにより、機械的な強度を図りつつ、より気流を層流化しやすい構成とすること等が考えられる。
【０１００】
また、以上においては、発明の説明を容易にするために、各色毎に１列のノズル列１０６を配置した場合を図示及び説明した。しかし、例えば、各色毎に、２列又は３列以上のノズル列１０６を配置することも考えられる。このように構成すれば、例えば、印刷の高速化や高解像度化が可能になる。この場合、気流吹出部１２０は、例えば、隣接して並ぶ複数のノズル列１０６を挟む領域から、複数のノズル列１０６を挟むスリット状の気流を発生する。
【０１０１】
図５は、インクジェットヘッド１２のより詳細な構成の第２の例を示す。図５（ａ）は、インクジェットヘッド１２の横断面図である。図５（ｂ）は、インクジェットヘッド１２を下面（ノズル面）側から見た図である。尚、以下に説明する点を除き、本例のインクジェットヘッド１２は、図４を用いて説明したインクジェットヘッド１２と同一又は同様であってよい。
【０１０２】
本例において、インクジェットヘッド１２は、使用する複数の色のそれぞれを吐出するノズル１０４のノズル列１０６が一体的に設けられた構成を有する。この場合、インクジェットヘッド１２は、それぞれが各色に対応する複数のノズル列１０６が形成されたノズルプレート１０２を有する。また、複数のノズル列１０６のそれぞれは、例えば、ＹＭＣＫインクの各色と、メタリック色又はパール色とに対応する。
【０１０３】
また、本例において、インクジェットヘッド１２は、それぞれが各色用のノズル列１０６に対応する気流吹出部１２０に対して共通の主気流導入口１１２及び副気流導入口１１４を有する。そのため、各色のノズル列１０６に対応する気流吹出部１２０は、それぞれ一か所の主気流導入口１１２及び副気流導入口１１４から導入される空気を吹き出す。尚、インクジェットヘッド１２は、例えば、各色のノズル列１０６に対応する気流吹出部１２０毎に、個別の主気流導入口１１２及び副気流導入口１１４を有してもよい。
【０１０４】
本例においても、例えば、飛翔するインク滴の周囲に適切に気流を発生させることができる。また、これにより、例えば、メタリック色やパール色のインク等を、インクジェットプリンタで適切に使用することが可能になる。
【０１０５】
以上、本発明を実施形態を用いて説明したが、本発明の技術的範囲は上記実施形態に記載の範囲には限定されない。上記実施形態に、多様な変更又は改良を加えることが可能であることが当業者に明らかである。その様な変更又は改良を加えた形態も本発明の技術的範囲に含まれ得ることが、特許請求の範囲の記載から明らかである。
【産業上の利用可能性】
【０１０６】
本発明は、例えばインクジェットプリンタに好適に利用できる。
【図面の簡単な説明】
【０１０７】
【図１】本発明の一実施形態に係るインクジェットプリンタ１０の構成の一例を示す図である。
【図２】インクジェットヘッドのノズルから吐出されるインク滴の様子をモデル化して示す図である。図２（ａ）は、例えばＹＭＣＫインク等の通常のインクジェットインクをノズルから吐出する場合について、インクのサテライトがミスト化する様子の一例を示す。図２（ｂ）は、ギャップ長Ｌｇをより大きくした場合の様子の一例を示す。図２（ｃ）は、メタリック色、又はパール色のインクを用いる場合の様子の一例を示す。
【図３】インクジェットヘッド１２のより詳細な構成の一例を示す図である。
【図４】インクジェットヘッド１２のより詳細な構成の第１の例を示す図である。図４（ａ）は、インクジェットヘッド１２の横断面図である。図４（ｂ）は、インクジェットヘッド１２を下面（ノズル面）側から見た図である。
【図５】インクジェットヘッド１２のより詳細な構成の第２の例を示す図である。図５（ａ）は、インクジェットヘッド１２の横断面図である。図５（ｂ）は、インクジェットヘッド１２を下面（ノズル面）側から見た図である。
【符号の説明】
【０１０８】
１０・・・インクジェットプリンタ、１２・・・インクジェットヘッド、１４・・・インクボトル、１６・・・インク中間タンク（インク貯留部）、１８・・・ブロワー、２０・・・気流供給配管、２２・・・気流分岐配管（圧力調整部）、５０・・・媒体、１０２・・・ノズルプレート、１０４・・・ノズル、１０６・・・ノズル列、１０８・・・主気流吹出口、１１０・・・副気流吹出口、１１２・・・主気流導入口、１１４・・・副気流導入口、１２０・・・気流吹出部
【図１】
2010195008.tif 000003
【図２】
2010195008.tif 000004
【図３】
2010195008.tif 000005
【図４】
2010195008.tif 000006
【図５】
2010195008.tif 000007